(57)【要約】      （修正有）【課題】エネルギー管理装置にメータが接続されていない場合においても、配線における異常の有無を確認することができるエネルギー管理装置、エネルギー管理システム、及びエネルギー管理方法を提供する。【解決手段】エネルギー管理装置内の検出部２４０は、内部配線２４２Ｓに電圧Ｖ１を印加する電源部２４３と、スイッチ部２４４と、内部配線２４２Ｓの電圧の変化を検出する検出器２４５と、スイッチ部２４４を開閉する制御部とを備える。メータの出力装置１８２が複数の配線２４１と接続されておらず、かつ、第１の配線２４１Ｓと第２の配線２４１Ｇとが短絡された試験モードにおいて、制御部は、スイッチ部２４４を閉じた場合に、検出器２４５が、内部配線２４２Ｓの電圧が電圧Ｖ１からグラウンド電圧Ｖ０に変化したことを検出したか否かを確認する。【選択図】図４
2014145667.tif 000002
【特許請求の範囲】
【請求項１】
メータを接続するための複数の配線と連結されるエネルギー管理装置であって、
前記複数の配線は、第１の配線と、グラウンドに接続される第２の配線とを含み、
前記エネルギー管理装置は、
前記第１の配線と連結される内部配線に、グラウンド電圧と異なる所定電圧を印加する電源部と、
前記内部配線上において、前記第１の配線と前記電源部との間に設けられたスイッチ部と、
前記電源部と前記スイッチ部との間における前記内部配線の電圧の変化を検出する検出器と、
前記スイッチ部を開閉し、前記電源部と前記第１の配線との間の接続を維持又は切断する制御部とを備え、
前記メータが前記複数の配線と接続されておらず、かつ、前記第１の配線と前記第２の配線とが短絡された試験モードにおいて、前記制御部は、前記スイッチ部を閉じた場合に、前記検出器が、前記内部配線の電圧が前記所定電圧から前記グラウンド電圧に変化したことを検出したか否かを確認することを特徴とするエネルギー管理装置。
【請求項２】
前記制御部は、前記試験モードにおいて、前記スイッチ部を閉じた回数と、前記検出器が、前記内部配線の電圧が前記所定電圧から前記グラウンド電圧に変化したことを検出した回数とが異なる場合に、ユーザに対するエラー通知を出力する制御を行うことを特徴とする請求項１に記載のエネルギー管理装置。
【請求項３】
前記第１の配線は、少なくとも２本の配線を含み、
前記メータが前記複数の配線と接続されておらず、かつ、前記少なくとも２本の配線の中の所定の配線と、前記第２の配線とが短絡された前記試験モードにおいて、前記制御部は、前記所定の配線に対応する前記スイッチ部を閉じた場合に、前記所定の配線に対応する前記検出器が、前記所定の配線に対応する前記内部配線の電圧が前記所定電圧から前記グラウンド電圧に変化したことを検出したか否かを確認することを特徴とする請求項１に記載のエネルギー管理装置。
【請求項４】
メータと、
前記メータを接続するための複数の配線と連結されるエネルギー管理装置とを備えるエネルギー管理システムであって、
前記複数の配線は、第１の配線と、グラウンドに接続される第２の配線とを含み、
前記エネルギー管理装置は、
前記第１の配線と連結される内部配線に、グラウンド電圧と異なる所定電圧を印加する電源部と、
前記内部配線上において、前記第１の配線と前記電源部との間に設けられたスイッチ部と、
前記電源部と前記スイッチ部との間における前記内部配線の電圧の変化を検出する検出器と、
前記スイッチ部を開閉し、前記電源部と前記第１の配線との間の接続を維持又は切断する制御部とを備え、
前記メータが前記複数の配線と接続されておらず、かつ、前記第１の配線と前記第２の配線とが短絡された試験モードにおいて、前記制御部は、前記スイッチ部を閉じた場合に、前記検出器が前記内部配線の電圧が前記所定電圧から前記グラウンド電圧に変化したことを検出したか否かを確認することを特徴とするエネルギー管理システム。
【請求項５】
メータを接続するための複数の配線と連結されるエネルギー管理装置に適用されるエネルギー管理方法であって、
前記複数の配線は、第１の配線と、グラウンドに接続される第２の配線とを含み、
前記エネルギー管理装置は、
前記第１の配線と連結される内部配線に、グラウンド電圧と異なる所定電圧を印加する電源部と、
前記内部配線上において、前記第１の配線と前記電源部との間に設けられたスイッチ部と、
前記内部配線の電圧の変化を検出する検出器と、
前記スイッチ部を開閉し、前記電源部と前記第１の配線との間の接続を維持又は切断する制御部とを備え、
前記エネルギー管理方法は、
前記メータが前記複数の配線と接続されておらず、かつ、前記第１の配線と前記第２の配線とが短絡された試験モードにおいて、
前記スイッチ部を閉じるステップと、
前記電源部と前記スイッチ部との間における前記内部配線の電圧が、前記所定電圧から前記グラウンド電圧に変化したことを検出したか否かを確認するステップとを備えることを特徴とするエネルギー管理方法。
【発明の詳細な説明】
【技術分野】
【０００１】
本発明は、エネルギー使用量を管理するエネルギー管理装置、エネルギー管理システム、及びエネルギー管理方法に関する。
【背景技術】
【０００２】
近年、系統電力の需要家におけるエネルギーの使用量を管理するエネルギー管理装置が知られている（例えば、特許文献１）。特に、住宅用のエネルギー管理装置は、ＨＥＭＳ（Ｈｏｍe  Ｅｎｅｒｇｙ  Ｍａｎａｇｅｍｅｎｔ  Ｓｙｓｔｅｍ）と称される。
【０００３】
また、エネルギー管理装置が、パルスを出力する計量器（以下、「メータ」）を用いて、需要家におけるエネルギー使用量を管理する手法が知られている（例えば、特許文献２）。
【先行技術文献】
【特許文献】
【０００４】
【特許文献１】特開２０１１−１２９０８５号公報
【特許文献２】特開２００８−２２４３９０号公報
【発明の概要】
【発明が解決しようとする課題】
【０００５】
エネルギー管理装置がメータを用いてエネルギー使用量を管理する場合、エネルギー管理装置にメータを接続するための配線において、例えば断線等の異常がなく、エネルギー管理装置がパルスを検出していることを確認する必要がある。
【０００６】
一般的に、配線における異常の有無を確認する場合、エネルギーを試験的に使用し、メータを作動させることによって、エネルギー管理装置がパルスを検出しているか否かを確認する。しかしながら、例えば居住者の入居前でメータが設置されていない場合には、配線における異常の有無を確認することが困難となる。
【０００７】
本発明は、上述した課題を解決するためになされたものであり、エネルギー管理装置にメータが接続されていない場合においても、配線における異常の有無を確認することができるエネルギー管理装置、エネルギー管理システム、及びエネルギー管理方法を提供することを目的とする。
【課題を解決するための手段】
【０００８】
第１の特徴に係るエネルギー管理装置は、メータを接続するための複数の配線と連結される。前記複数の配線は、第１の配線と、グラウンドに接続される第２の配線とを含む。前記エネルギー管理装置は、前記第１の配線と連結される内部配線に、グラウンド電圧と異なる所定電圧を印加する電源部と、前記内部配線上において、前記第１の配線と前記電源部との間に設けられたスイッチ部と、前記電源部と前記スイッチ部との間における前記内部配線の電圧の変化を検出する検出器と、前記スイッチ部を開閉し、前記電源部と前記第１の配線との間の接続を維持又は切断する制御部とを備える。前記メータが前記複数の配線と接続されておらず、かつ、前記第１の配線と前記第２の配線とが短絡された試験モードにおいて、前記制御部は、前記スイッチ部を閉じた場合に、前記検出器が、前記内部配線の電圧が前記所定電圧から前記グラウンド電圧に変化したことを検出したか否かを確認する。
【０００９】
第１の特徴において、前記制御部は、前記試験モードにおいて、前記スイッチ部を閉じた回数と、前記検出器が、前記内部配線の電圧が前記所定電圧から前記グラウンド電圧に変化したことを検出した回数とが異なる場合に、ユーザに対するエラー通知を出力する制御を行う。
【００１０】
第１の特徴において、前記第１の配線は、少なくとも２本の配線を含む。前記メータが前記複数の配線と接続されておらず、かつ、前記少なくとも２本の配線の中の所定の配線と、前記第２の配線とが短絡された前記試験モードにおいて、前記制御部は、前記所定の配線に対応する前記スイッチ部を閉じた場合に、前記所定の配線に対応する前記検出器が、前記所定の配線に対応する前記内部配線の電圧が前記所定電圧から前記グラウンド電圧に変化したことを検出したか否かを確認する。
【００１１】
第２の特徴に係るエネルギー管理システムは、メータと、前記メータを接続するための複数の配線と連結されるエネルギー管理装置とを備える。前記複数の配線は、第１の配線と、グラウンドに接続される第２の配線とを含む。前記エネルギー管理装置は、前記第１の配線と連結される内部配線に、グラウンド電圧と異なる所定電圧を印加する電源部と、前記内部配線上において、前記第１の配線と前記電源部との間に設けられたスイッチ部と、前記電源部と前記スイッチ部との間における前記内部配線の電圧の変化を検出する検出器と、前記スイッチ部を開閉し、前記電源部と前記第１の配線との間の接続を維持又は切断する制御部とを備える。前記メータが前記複数の配線と接続されておらず、かつ、前記第１の配線と前記第２の配線とが短絡された試験モードにおいて、前記制御部は、前記スイッチ部を閉じた場合に、前記検出器が前記内部配線の電圧が前記所定電圧から前記グラウンド電圧に変化したことを検出したか否かを確認する。
【００１２】
第３の特徴に係るエネルギー管理方法は、メータを接続するための複数の配線と連結されるエネルギー管理装置に適用される。前記複数の配線は、第１の配線と、グラウンドに接続される第２の配線とを含む。前記エネルギー管理装置は、前記第１の配線と連結される内部配線に、グラウンド電圧と異なる所定電圧を印加する電源部と、前記内部配線上において、前記第１の配線と前記電源部との間に設けられたスイッチ部と、前記内部配線の電圧の変化を検出する検出器と、前記スイッチ部を開閉し、前記電源部と前記第１の配線との間の接続を維持又は切断する制御部とを備える。前記エネルギー管理方法は、前記メータが前記複数の配線と接続されておらず、かつ、前記第１の配線と前記第２の配線とが短絡された試験モードにおいて、前記スイッチ部を閉じるステップと、前記電源部と前記スイッチ部との間における前記内部配線の電圧が、前記所定電圧から前記グラウンド電圧に変化したことを検出したか否かを確認するステップとを備える。
【発明の効果】
【００１３】
本発明によれば、エネルギー管理装置にメータが接続されていない場合においても、配線における異常の有無を確認することができるエネルギー管理装置、エネルギー管理システム、及びエネルギー管理方法を提供することができる。
【図面の簡単な説明】
【００１４】
【図１】図１は、本実施形態に係るエネルギー管理システムを示す図である。
【図２】図２は、本実施形態に係るメータを示す図である。
【図３】図３は、本実施形態に係るＥＭＳを示すブロック図である。
【図４】図４は、本実施形態に係るＥＭＳがメータと接続された状態を示す図である。
【図５】図５は、本実施形態に係るＥＭＳがメータと接続されていない状態を示す図である。
【図６】図６は、本実施形態に係るエネルギー管理方法を示すフロー図である。
【図７】図７は、本実施形態の変形例に係るＥＭＳがメータと接続されていない状態を示す図である。
【発明を実施するための形態】
【００１５】
以下において、本発明の実施形態に係るエネルギー管理装置、エネルギー管理システム、及びエネルギー管理方法について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係るエネルギー管理装置は、メータを接続するための複数の配線と連結される。前記複数の配線は、第１の配線と、グラウンドに接続される第２の配線とを含む。前記エネルギー管理装置は、前記第１の配線と連結される内部配線に、グラウンド電圧と異なる所定電圧を印加する電源部と、前記内部配線上において、前記第１の配線と前記電源部との間に設けられたスイッチ部と、前記電源部と前記スイッチ部との間における前記内部配線の電圧の変化を検出する検出器と、前記スイッチ部を開閉し、前記電源部と前記第１の配線との間の接続を維持又は切断する制御部とを備える。前記メータが前記複数の配線と接続されておらず、かつ、前記第１の配線と前記第２の配線とが短絡された試験モードにおいて、前記制御部は、前記スイッチ部を閉じた場合に、前記検出器が、前記内部配線の電圧が前記所定電圧から前記グラウンド電圧に変化したことを検出したか否かを確認する。
【００１８】
これによって、エネルギー管理装置にメータが接続されていない場合においても、配線における異常の有無を確認することができるエネルギー管理装置、エネルギー管理システム、及びエネルギー管理方法を提供することができる。
【００１９】
［本実施形態］
（エネルギー管理システム）
以下において、本実施形態に係るエネルギー管理システムについて説明する。図１は、本実施形態に係るエネルギー管理システム１００を示す図である。
【００２０】
図１に示すように、エネルギー管理システム１００は、需要家に設けられた分電盤１１０と、負荷１２０と、ＰＶ装置１３０と、蓄電池装置１４０と、燃料電池装置１５０と、貯湯装置１６０と、メータ１８０と、ＥＭＳ２００と、表示装置２５５とを有する。各機器は、任意の順で電力線に接続されてよい。
【００２１】
分電盤１１０は、配電線３１（系統）に接続されている。分電盤１１０は、電力線を介して、負荷１２０、ＰＶ装置１３０、蓄電池装置１４０及び燃料電池装置１５０に接続されている。
【００２２】
負荷１２０は、電力線を介して供給を受ける電力を消費する装置である。例えば、負荷１２０は、冷蔵庫、冷凍庫、照明、エアコンなどの装置を含む。
【００２３】
ＰＶ装置１３０は、ＰＶ１３１と、ＰＣＳ１３２とを有する。ＰＶ１３１は、発電装置の一例であり、太陽光の受光に応じて発電を行う太陽光発電装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００２４】
蓄電池装置１４０は、蓄電池１４１と、ＰＣＳ１４２とを有する。蓄電池１４１は、電力を蓄積する装置である。ＰＣＳ１４２は、配電線３１（系統）から供給を受けるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００２５】
燃料電池装置１５０は、燃料電池１５１と、ＰＣＳ１５２とを有する。燃料電池１５１は、発電装置の一例であり、燃料ガスを利用して電力を出力する装置である。燃料電池１５１は、例えば、ＳＯＦＣ（Ｓｏｌｉｄ  Ｏｘｉｄｅ  Ｆｕｅｌ  Ｃｅｌｌ）であってもよく、ＰＥＦＣ（Ｐｏｌｙｍｅｒ  Ｅｌｅｃｔｒｏｌｙｔｅ  Ｆｕｅｌ  Ｃｅｌｌ）であってもよい。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００２６】
貯湯装置１６０は、電力を熱に変換し、変換された熱を湯として蓄積したり、燃料電池装置１５０等のコージェネレーション機器が発生する熱を湯として蓄えたりする蓄熱装置の一例である。具体的には、貯湯装置１６０は、貯湯槽を有しており、燃料電池１５１の運転（発電）によって生じる排熱によって、貯湯槽から供給される水を温める。詳細には、貯湯装置１６０は、貯湯槽から供給される水を温めて、温められた湯を貯湯槽に還流する。
【００２７】
メータ１８０は、需要家におけるエネルギー使用量を計量する機器である。例えば、メータ１８０は、ガス使用量を計量するためのガスメータである。あるいは、エネルギーを、生活又は生産に必要な資源として解釈する場合、メータ１８０は、水道使用量を計量するための水道メータであってもよい。
【００２８】
ＥＭＳ２００は、エネルギー管理装置の一例であり、ＰＶ装置１３０、蓄電池装置１４０、燃料電池装置１５０及び貯湯装置１６０を制御する装置（Ｅｎｅｒｇｙ  Ｍａｎａｇｅｍｅｎｔ  Ｓｙｓｔｅｍ）である。具体的には、ＥＭＳ２００は、ＰＶ装置１３０、蓄電池装置１４０、燃料電池装置１５０、貯湯装置１６０及びメータ１８０に、信号線を介して接続されている。ＥＭＳ２００は、ＰＶ装置１３０、蓄電池装置１４０、燃料電池装置１５０及び貯湯装置１６０を、Ｅｃｈｏｎｅｔ  ＬｉｔｅあるいはＺｉｇ  Ｂｅｅ（登録商標）などの通信プロトコルに準拠した信号を用いて制御する。
【００２９】
表示装置２５５は、ＥＭＳ２００と接続されており、ＥＭＳ２００に格納された各種情報をアプリケーションによって可視化して表示する。ＥＭＳ２００と表示装置２５５との接続形式は、有線であってもよく、無線であってもよい。また、表示装置２５５は、ユーザの入力を受け付けるタッチパネルであってもよい。このようなケースにおいては、ユーザは、ＥＭＳ２００に接続された装置を制御するための情報を、表示装置２５５を介して入力し、表示装置２５５は、ユーザが入力した制御情報を、ＥＭＳ２００に送信する。
【００３０】
（メータの構成）
以下において、本実施形態に係るメータについて説明する。図２は、本実施形態に係るメータ１８０の構成を示す図である。図２に示すように、メータ１８０は、メータ本体部１８１と、出力装置１８２とを有する。出力装置１８２は、信号線１８３Ｓ及び接地線１８３Ｇを含む複数のリード線１８３と連結される。図２に示すように、複数のリード線１８３が、１本の信号線１８３Ｓと１本の接地線１８３Ｇとを含むメータを、２線式メータという。本実施形態において、ＥＭＳ２００は、メータ１８０として２線式メータを用いて、エネルギー使用量を管理するものとする。
【００３１】
メータ本体部１８１は、エネルギーを伝達する配管１８０Ｐに設けられる。配管１８０Ｐは、例えば、ガス管又は給水管等であるが、以下、エネルギーはガスであり、配管１８０Ｐはガス管であるものとして説明する。
【００３２】
メータ本体部１８１は、配管１８０Ｐ（ガス管）を流れるガスを検出すると作動するマグネット式等の流量信号発生器を有する。流量信号発生器は、配管１８０Ｐを流れるガスを検出すると、出力装置１８２に流量信号を出力する。
【００３３】
出力装置１８２は、信号線１８３Ｓに設けられたスイッチ１８４を有する。複数のリード線１８３は、出力装置１８２から、住居外壁に設けられた端子台等まで延びる。複数のリード線１８３は、端子台等において、後述する複数の配線２４１と連結される。
【００３４】
メータ１８０は、複数のリード線１８３と複数の配線２４１とを介して、ＥＭＳ２００と接続される。出力装置１８２は、メータ本体部１８１から入力された流量信号を積算し、積算値が所定量に達すると、スイッチ１８４を開閉する。
【００３５】
（ＥＭＳの構成）
以下において、本実施形態に係るＥＭＳについて説明する。図３は、本実施形態に係るＥＭＳ２００を示すブロック図である。
【００３６】
図３に示すように、ＥＭＳ２００は、通信部２１０と、記憶部２２０と、表示部２３０と、検出部２４０と、制御部２５０とを有する。
【００３７】
通信部２１０は、接続された装置との間で信号線を介して各種信号を送受信する。例えば、通信部２１０は、ＰＶ１３１の発電量を示す情報をＰＶ装置１３０から受信してもよい。通信部２１０は、蓄電池１４１の蓄電量Ｖを示す情報を蓄電池装置１４０から受信してもよい。通信部２１０は、燃料電池１５１の発電量を示す情報を燃料電池装置１５０から受信してもよい。通信部２１０は、貯湯装置１６０の貯湯量を示す情報を貯湯装置１６０から受信してもよい。通信部２１０は、例えば表示装置２５５がタッチパネルの場合には、表示装置２５５を介してユーザが入力した情報を、表示装置２５５から受信してもよい。
【００３８】
また、通信部２１０は、例えば、ＰＶ装置１３０、蓄電池装置１４０、燃料電池装置１５０及び貯湯装置１６０を制御するための信号を、各装置に送信する。
【００３９】
記憶部２２０は、通信部２１０が受信した情報を記憶する。また、記憶部２２０は、接続された装置を制御するために制御部２５０が設定した制御情報を記憶する。
【００４０】
表示部２３０は、上述した表示装置２５５と同様の機能を有する。表示部２３０は、ＥＭＳ２００に格納された各種情報を、アプリケーションによって可視化して表示する。表示装部２３０は、ユーザの入力を受け付けるタッチパネルであってもよい。このようなケースにおいては、ユーザは、ＥＭＳ２００に接続された装置を制御するための情報を、表示部２３０を介して入力してもよい。
【００４１】
検出部２４０は、メータ１８０の動作に応じて、後述する内部配線２４２Ｓにおける電圧の変化を示すパルスを検出する。検出部２４０は、パルスを検出すると、検出信号を制御部２５０に出力する。検出部２４０の詳細については、後述する。
【００４２】
制御部２５０は、負荷１２０、ＰＶ装置１３０、蓄電池装置１４０、燃料電池装置１５０、貯湯装置１６０、及び表示装置２５５を、Ｅｃｈｏｎｅｔ  Ｌｉｔｅ等の通信プロトコルに準拠した信号を用いて制御する。また、制御部２５０は、通信部２１０、記憶部２２０、表示部２３０、及び検出部２４０を制御する。また、制御部２５０は、検出部２４０から出力された検出信号を取得する。
【００４３】
（メータ接続時の動作）
以下において、メータ接続時におけるＥＭＳ２００の動作について説明する。図４は、本実施形態に係るＥＭＳ２００がメータ１８０と接続された状態を示す図である。
【００４４】
図４において、検出部２４０は、複数の配線２４１を介してメータ１８０と接続される。複数の配線２４１は、第１の配線２４１Ｓと第２の配線２４１Ｇとを含む。
【００４５】
複数の配線２４１は、検出部２４０から、複数のリード線１８３が連結される端子台等まで延びる。第１の配線２４１Ｓは、信号線１８３Ｓと連結され、第２の配線２４１Ｇは、接地線１８３Ｇと連結される。第１の配線２４１Ｓは、検出部２４０において、内部配線２４２Ｓと連結される。第２の配線２４１Ｇは、検出部２４０において、内部配線２４２Ｇと連結され、グラウンドに接続される。
【００４６】
本実施形態において、検出部２４０は、電源部２４３と、スイッチ部２４４と、検出器２４５とを有する。電源部２４３は、内部配線２４２Ｓと連結され、内部配線２４２Ｓに電圧Ｖ１を印加する。
【００４７】
スイッチ部２４４は、内部配線２４２Ｓ上において、第１の配線２４１Ｓと電源部２４３との間に設けられる。スイッチ部２４４は、制御部２５０の制御に応じて開閉し、電源部２４３と第１の配線２４１Ｓとの間の接続を維持又は切断する。検出部２４０が複数の配線２４１を介してメータ１８０と接続されている場合、スイッチ部２４４は、閉じた状態で維持されることに留意すべきである。
【００４８】
検出器２４５は、第１の配線２４１Ｓと電源部２４３との間において、内部配線２４２Ｓと連結される。検出器２４５は、電源部２４３とスイッチ部２４４との間における内部配線２４２Ｓの電圧の変化を検出すると、制御部２５０に検出信号を出力する。検出器２４５は、例えば、フォトカプラ等の信号伝達素子を含む。
【００４９】
出力装置１８２は、所定量のガス流量を検出すると、スイッチ１８４を閉じる。これにより、電源部２４３からグラウンドまでの配線が電源部２４３からグラウンドまでの配線が電気的に接続された状態となり、内部配線２４２Ｓの電圧は、スイッチ１８４が開いていた状態における電圧Ｖ１から、グラウンド電圧Ｖ０へと変化する。
【００５０】
検出器２４５は、内部配線２４２Ｓの電圧が電圧Ｖ１からグラウンド電圧Ｖ０に変化したことを検出すると、検出信号を制御部２５０に出力する。制御部２５０は、検出部２４０から取得した検出信号に基づいて、メータ１８０が計量したエネルギー使用量（ガス使用量）を算出する。
【００５１】
（試験モードにおける動作）
以下において、試験モードにおけるＥＭＳ２００の動作について説明する。図５は、本実施形態に係るＥＭＳ２００がメータ１８０と接続されていない状態を示す図である。ＥＭＳ２００がメータ１８０と接続されていない場合、複数の配線２４１における異常の有無を確認することができない。そこで、本実施形態において、ＥＭＳ２００は、以下に説明する試験モードにおいて、複数の配線２４１における異常の有無を確認する。
【００５２】
試験モードにおいては、メータ１８０は、複数の配線２４１と接続されておらず、かつ、第１の配線２４１Ｓと第２の配線２４１Ｇとが短絡されている。第１の配線２４１Ｓと第２の配線２４１Ｇとの短絡は、例えば端子台等において、第１の配線２４１Ｓの端部と第２の配線２４１Ｇと端部とを連結させることによって行われる。
【００５３】
まず、制御部２５０は、スイッチ部２４４を開いた状態で維持することに留意すべきである。この状態において、電源部２４３からスイッチ部２４４までの間における内部配線２４２Ｓの電圧は、電源部２４３から印加された電圧Ｖ１に維持される。
【００５４】
次に、制御部２５０は、スイッチ部２４４を閉じ、電源部２４３からグラウンドまでを電気的に接続する。この状態において、電源部２４３からスイッチ部２４４までの間における内部配線２４２Ｓの電圧は、電圧Ｖ１からグラウンド電圧Ｖ０に変化する。
【００５５】
検出器２４５は、内部配線２４２Ｓの電圧が電圧Ｖ１からグラウンド電圧Ｖ０に変化したことを検出すると、制御部２５０に検出信号を出力する。制御部２５０は、検出器２４５から出力された検出信号を確認することにより、内部配線２４２Ｓの電圧が電圧Ｖ１からグラウンド電圧Ｖ０に変化したことを確認する。言い換えると、制御部２５０は、検出器２４５から出力された検出信号を確認することにより、複数の配線２４１に断線等の異常がないことを確認する。
【００５６】
複数の配線２４１に断線等の異常がある場合には、スイッチ２４４を閉じても、電源部２４３からグラウンドまでの配線が電気的に接続されず、内部配線２４２Ｓの電圧は、電圧Ｖ１のまま維持される。そこで、制御部２５０は、検出器２４５から出力された検出信号を確認できなかった場合には、ユーザに対するエラー通知を出力する。エラー通知は、例えば、表示部２３０におけるエラーメッセージの表示であってもよく、又は、警報音の発生であってもよい。
【００５７】
また、制御部２５０は、試験モードにおいて、スイッチ部２４４を閉じた回数と、検出器２４５が、内部配線２４２Ｓの電圧が電圧Ｖ１からグラウンド電圧Ｖ０に変化したことを検出した回数とが異なる場合に、ユーザに対するエラー通知を出力してもよい。
【００５８】
具体的には、制御部２５０は、スイッチ部２４４を閉じた回数をカウントする。試験モードにおいて、第１の配線２４１Ｓ又は第２の配線２４１Ｇに異常がない場合は、スイッチ部２４４を閉じた回数と、内部配線２４２Ｓの電圧が電圧Ｖ１からグラウンド電圧Ｖ０に変化した回数とは、一致する。また、内部配線２４２Ｓの電圧が電圧Ｖ１からグラウンド電圧Ｖ０に変化した回数と、検出器２４３が制御部２５０に検出信号を出力した回数とは、一致する。そこで、制御部２５０は、スイッチ部２４４を閉じた回数と、検出信号を取得した回数とが異なる場合には、複数の配線２４１のいずれかに異常があると判断し、ユーザに対するエラー通知を出力する。
【００５９】
（エネルギー管理方法）
以下において、本実施形態に係るエネルギー管理方法について説明する。図６は、本実施形態に係るエネルギー管理方法を示すフロー図である。ＥＭＳ２００は、メータ１８０が複数の配線２４１と接続されておらず、かつ、第１の配線２４１Ｓと第２の配線２４１Ｇとが短絡された試験モードにおいて、以下のフローを行う。
【００６０】
ステップＳ１００において、ＥＭＳ２００は、スイッチ部２４４を閉じる。これにより、電源部２４３からグラウンドまでの配線が、電気的に接続された状態となる。
【００６１】
ステップＳ１１０において、ＥＭＳ２００は、電源部２４３とスイッチ部２４４との間における内部配線２４２の電圧が、電圧Ｖ１からグラウンド電圧Ｖ０に変化したことを検出したか否かを確認する。具体的には、ＥＭＳ２００は、検出器２４５が検出信号を出力したか否かを確認する。判定結果が“ＹＥＳ”の場合、ＥＭＳ２００は、処理を終了する。判定結果が“ＮＯ”の場合、ＥＭＳ２００は、ステップＳ１２０の処理に進む。
【００６２】
ステップＳ１２０において、ＥＭＳ２００は、ユーザに対するエラー通知を出力する。具体的には、ＥＭＳ２００は、検出信号を確認できない場合、複数の配線２４１のいずれかに断線等の異常があると判定し、ユーザにその旨を通知する。
【００６３】
以上説明したように、本実施形態では、ＥＭＳ２００が、メータ１８０が複数の配線２４１と接続されておらず、かつ、第１の配線２４１Ｓと第２の配線２４１Ｇとが短絡された試験モードにおいて、スイッチ部２４４を閉じた場合に、検出器２４５が、内部配線２４２Ｓの電圧が電圧Ｖ１からグラウンド電圧Ｖ０に変化したことを検出したか否かを確認する。
【００６４】
上述したように、複数の配線２４１は、検出部２４０から端子台等まで配線されている。通常、複数の配線２４１は、配線距離が長く、しかも、住居の床下等の目視困難な場所に配線されている。そこで、ＥＭＳ２００は、試験モードにおいてスイッチ２４４を開閉させ、内部配線２４２Ｓの電圧を変化させることにより、メータ１８０が接続されている場合にガスが使用されている状態と同じ状態を作り出す。
これによって、エネルギー管理装置にメータが接続されていない場合においても、配線における異常の有無を確認することができるエネルギー管理装置、エネルギー管理システム、及びエネルギー管理方法を提供することができる。
【００６５】
［変形例］
以下において、本実施形態の変形例１に係るエネルギー管理装置について、本実施形態に係るエネルギー管理装置との相違点を中心に説明する。変形例１において、ＥＭＳ２００は、メータ１８０として、複数のリード線１８３が、２本の信号線１８３Ｓ−１，１８３Ｓ−２と、１本の接地線１８３Ｇとを含む３線式メータを用いて、エネルギー使用量を管理する。
【００６６】
図７は、変形例１に係るＥＭＳ２００がメータ１８０と接続されていない状態を示す図である。図７に示すように、複数の配線２４１は、２本の第１の配線２４１Ｓ−１，２４１Ｓ−２と、１本の第２の配線２４１Ｇとを含み、第１の配線２４１Ｓ−１，２４１Ｓ−２は信号線１８３Ｓ−１，１８３Ｓ−２と連結され、第２の配線２４１Ｇは接地線１８３Ｇと連結される。
【００６７】
図７に示すように、第１の配線２４１Ｓが、第１の配線２４１Ｓ−１及び２４１Ｓ−２を含む場合、ＥＭＳ２００は、第１の配線２４１Ｓ−１及び２４１Ｓ−２の両方について、異常の有無を確認する必要がある。
【００６８】
そこで、変形例１において、メータ１８０が複数の配線２４１と接続されておらず、かつ、第１の配線２４１Ｓ−１及び第１の配線２４１Ｓ−２の中の所定の配線と、第２の配線２４１Ｇとが短絡された試験モードにおいて、ＥＭＳ２００は、複数の配線２４１における異常の有無を確認する。
【００６９】
変形例１において、制御部２５０は、所定の配線（第１の配線２４１Ｓ−１又は第１の配線２４１Ｓ−２）に対応するスイッチ部（スイッチ部２４４−１又はスイッチ部２４４−２）を閉じた場合に、所定の配線に対応する検出器（検出器２４５−１又は検出器２４５−２）が、所定の配線に対応する内部配線（内部配線２４２Ｓ−１又は内部配線２４２Ｓ−２）の電圧が、電圧Ｖ１からグラウンド電圧Ｖ０に変化したことを検出する。
【００７０】
ここで、スイッチ部を閉じても内部配線の電圧が変化しなかった場合、その原因として、複数の配線２４１における断線の他に、配線の誤りが考えられる。つまり、複数の配線２４１を収容するケーブル内において、第１の配線２４１Ｓ−１又は第１の配線２４１Ｓ−２の一方と第２の配線２４１Ｇとが取り違えられていることが考えられる。
【００７１】
そこで、制御部２５０は、検出器２４５から出力された検出信号を確認できなかった場合には、ユーザに対して、複数の配線２４１に断線又は配線の誤りがあることを示すエラー通知を出力する。
【００７２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７３】
ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよく、ＳＥＭＳ（Ｓtoｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃtoｒｙ  Ｅｎｅｒｇｙ  Ｍａｎａｇｅｍｅｎｔ  Ｓｙｓｔｅｍ）であってもよい。
【００７４】
実施形態では、エネルギー管理システム１００は、負荷１２０、ＰＶ装置１３０、蓄電池装置１４０、燃料電池装置１５０、貯湯装置１６０、及びメータ１８０を有する。しかしながら、エネルギー管理システム１００は、少なくとも、負荷１２０及びメータ１８０を有していればよい。
【００７５】
実施形態では、メータ１８０によって使用量を計量するエネルギーとして、ガス又は水道を例示した。しかしながら、メータ１８０は、電力使用量を計量するためのメータであってもよい。このようなケースにおいては、エネルギー管理システム１００は、メータ１８０を、例えば分電盤１１０に備えてもよい。
【００７６】
実施形態では、表示部２３０が、ユーザに対するエラー通知を表示する。しかしながら、表示部２３０に代わり、表示装置２５５が、ユーザに対するエラー通知を表示してもよい。
【００７７】
実施形態では、制御部２５０が、スイッチ部２４４を開閉する制御を行う。しかしながら、スイッチ部２４４として、このようなリレースイッチに代えて、例えばＦＥＴスイッチ等を用いてもよい。
【符号の説明】
【００７８】
１００…エネルギー管理システム、１１０…分電盤、１２０…負荷、１３０…ＰＶ装置、１３１…ＰＶ、１３２…ＰＣＳ、１４０…蓄電池装置、１４１…蓄電池、１４２…ＰＣＳ、１５０…燃料電池装置、１５１…燃料電池、１５２…ＰＣＳ、１６０…貯湯装置、１８０…メータ、１８１…メータ本体部、１８２…出力装置、１８３…リード線、１８３Ｓ，１８３Ｓ−１，１８３Ｓ−２…信号線、１８３Ｇ…接地線、１８４，１８４−１，１８４−２…スイッチ、２００…ＥＭＳ、２１０…通信部、２２０…記憶部、２３０…表示部、２４０…検出部、２４１…配線、２４１Ｓ，２４１Ｓ−１，２４１Ｓ−２…第１の配線、２４１Ｇ…第２の配線、２４２Ｓ，２４２Ｓ−１，２４２Ｓ−２，２４２Ｇ，２４２Ｇ−１，２４２Ｇ−２…内部配線、２４３…電源部、２４４，２４４−１，２４４−２…スイッチ部、２４５，２４５−１，２４５−２…検出器、２５０…制御部、２５５…表示装置、Ｖ１…電圧、Ｖ２…グラウンド電圧
【図１】
2014145667.tif 000003
【図２】
2014145667.tif 000004
【図３】
2014145667.tif 000005
【図４】
2014145667.tif 000006
【図５】
2014145667.tif 000007
【図６】
2014145667.tif 000008
【図７】
2014145667.tif 000009